【手続補正書】
【提出日】平成18年6月1日(2006.6.1)
【手続補正１】
【補正対象書類名】明細書
【補正対象項目名】特許請求の範囲
【補正方法】変更
【補正の内容】
【特許請求の範囲】
【請求項１】  装置を支持マウントに調整自在に取着するチルタであって、
第１の軸線を中心に回動自在に前記支持マウントに係合するように構成されている支持ブロックを備え、
前記支持ブロックに結合されているとともに、前記第１の軸線と直交している第２の軸線を中心に前記支持ブロックと回動自在に係合するように構成されている中央チルトマウントを備え、前記中央チルトマウントには第１の開口が形成され、さらに前記支持ブロックには前記第１の開口と整合する第２の開口が形成されており、
前記中央チルトマウントと前記支持ブロックの前記整合する開口内に嵌合して前記中央チルトマウントを前記支持ブロックに回動自在に取着するように構成されているチルタシャフトを備え、
前記チルタシャフトを挿通して受けるように構成されているとともに、前記支持ブロックの前記開口に収容されるように構成されているブッシュを備えており、前記支持ブロックには止めねじを受けるようにねじ切り孔が形成され、前記止めねじは前記支持ブロックの前記開口において前記ブッシュと係合して、前記支持ブロックと前記チルトマウントとの間の相対的な回転を防止するように構成されている
ことを特徴とするチルタ。
【請求項２】  前記装置を前記中央チルトマウントに接続するためのアダプタプレートを有していることを特徴とする、請求項１に記載のチルタ。
【請求項３】  前記中央チルトマウントが、フロアと、該フロアから延びる側壁とを有していることを特徴とする、請求項１に記載のチルタ。
【請求項４】  前記フロアには孔が形成され、前記フロアの孔は前記第１の軸線及び前記第２の軸線と直交している第３の軸線と整合している軸線方向の中心線を有しており、前記中央チルトマウントに連結されている回転プレートには前記フロアの孔と整合している孔が形成されていることを特徴とする、請求項３に記載のチルタ。
【請求項５】  前記中央チルトマウントには表面にくぼみ領域が形成され、前記中央チルトマウントと前記回転プレートとの間に介在するように前記くぼみ領域内に収容されるワッシャを更に備えていることを特徴とする、請求項４に記載のチルタ。
【請求項６】  装置を支持マウントに調整自在に取着するチルタであって、
支持シャフト及び本体を有している支持ブロックを備え、前記支持シャフトは前記支持ブロック本体の一端から外向き伸びて配置されているとともに第１の軸線と整合する軸線方向の中心線を有し、前記支持ブロック本体には孔が形成され、前記支持ブロック本体は前記第１の軸線と直交している第２の軸線と整合する軸線方向の中心線を有しており、
フロアと該フロアから延びる側壁とを有している中央チルトマウントを備え、前記各側壁には孔が形成され、前記各側壁の孔は他方の前記側壁の孔及び前記支持ブロック本体の孔と整合するように構成されており、少なくとも１つのストッパ部材は前記側壁間の前記フロアから延びており、
前記支持ブロック及び前記中央チルトマウントと回転自在に係合するように前記支持ブロック本体の孔及び前記側壁の孔に連結されて、前記中央チルトマウントを前記第２の軸線を中心に回動自在に回転させるように構成されているチルタシャフトを備え、前記少なくとも１つのストッパ部材は、前記支持ブロックの一部分と係合している前記チルタシャフトを中心に前記中央チルトマウントが回転するのを防止するように構成されている
ことを特徴とするチルタ。
【請求項７】  前記チルタシャフトはブッシュ内に配置され、前記ブッシュは前記支持ブロック本体の孔と前記側壁の孔を介して配置されていることを特徴とする、請求項６に記載のチルタ。
【請求項８】  前記支持ブロック本体はねじ付き孔を有しており、該ねじ付き孔は前記支持ブロック本体の孔と連通するとともに止めねじを収容するように構成されており、前記止めねじは前記ブッシュと係合し、また前記ブッシュは回転を阻止するように前記チルタシャフトと摩擦係合していることを特徴とする、請求項７に記載のチルタ。
【請求項９】  前記中央チルトマウントに対して回動自在に回転させることができるように、前記中央チルトマウントへ回動自在に取着されている回転プレートを備えていることを特徴とする、請求項６に記載のチルタ。
【請求項１０】  前記中央チルトマウントには表面に溝が形成されており、前記中央チルトマウントの溝に収容されて前記中央チルトマウントと前記回転プレートとの間に介在するように構成されているワッシャが備えられていることを特徴とする、請求項９に記載のチルタ。
【請求項１１】  装置を支持マウントに調整自在に取着するチルタであって、
前記支持マウントと第１の軸線を中心に回動自在に係合するように構成された支持ブロックを備え、さらに前記支持ブロックはねじ切り孔を有しており、
前記支持ブロックに結合されているとともに、前記第１の軸線と直交している第２の軸線を中心に前記支持ブロックと回動自在に係合している中央チルトマウントを備え、さらに前記中央チルトマウントには第１の開口が形成され、前記支持ブロックには前記第１の開口と整合する第２の開口が形成されており、
前記整合した中央チルトマウントの開口及び前記支持ブロックの開口内に収容されているブッシュを備え、
前記中央チルトマウントを前記支持ブロックへ回動自在に取着している前記ブッシュ内に収容されているチルタシャフトを備え、
前記ねじ切り孔内を貫通して収容されている止めねじを備えており、前記止めねじが前記ブッシュを前記チルタシャフトと摩擦係合するように押し込み、前記支持マウントと相対的な前記チルタシャフトの回転を防止するように構成されている
ことを特徴とするチルタ。
【請求項１２】  前記装置を前記中央チルトマウントに接続するためのアダプタプレートを有していることを特徴とする、請求項１１に記載のチルタ。
【請求項１３】  前記中央チルトマウントが、フロアと、該フロアから延びる側壁を有していることを特徴とする、請求項１１に記載のチルタ。
【請求項１４】  前記フロアには孔が形成され、前記フロアの孔は前記第１の軸線及び前記第２の軸線と直交している第３の軸線と整合している軸線方向の中心線を有しており、前記中央チルトマウントに連結されている回転プレートには前記フロアの孔と整合している孔が形成されていることを特徴とする、請求項１３に記載のチルタ。
【請求項１５】  前記中央チルトマウントには表面にくぼみ領域が形成され、前記中央チルトマウントと前記回転プレートとの間に介在するように前記くぼむ領域内に収容されたワッシャを更に備えていることを特徴とする、請求項１４に記載のチルタ。
【請求項１６】  装置を支持マウントに調整自在に取着するチルタであって、
前記支持マウントと第１の軸線を中心に係合するように構成された支持ブロックと、
前記第１の軸線と直交している第２の軸線を中心に前記支持ブロックと回動自在に係合するように構成された中央チルトマウントと
を具備しており、
少なくとも１つのストッパ部材は、前記支持ブロックと向かい合う前記中央チルトマウントから突設しており、前記少なくとも１つのストッパ部材は、前記中央チルトマウントが前記支持ブロックの一部分と係合している前記チルタシャフトを中心に回動するのを防止するようになされている
ことを特徴とするチルタ。
【請求項１７】  前記ストッパ部材が前記中央チルトマウントから延びており、前記ストッパ部材が他方のストッパ部材と間隔を開けて構成されていることを特徴とする、請求項１６に記載のチルタ。
【請求項１８】  前記中央チルトマウントを前記支持ブロックへ回動自在に係合しているブッシュを有していることを特徴とする、請求項１６に記載のチルタ。
【請求項１９】  前記支持ブロックには止めねじを受けるようにねじ切り孔が形成されており、前記止めねじは前記支持ブロックの前記開口において前記ブッシュと係合して、前記支持ブロックと前記チルトマウントとの間の相対的な回転を防止するように構成されていることを特徴とする、請求項１８に記載のチルタ。
【請求項２０】  装置を支持マウントに調整自在に取着するチルタであって、
前記支持マウントと第１の軸線を中心に回動自在に係合するように構成されている支持ブロックと、
前記支持ブロックに結合されているとともに、前記第１の軸線と直交している第２の軸線を中心に前記支持ブロックと回動自在に係合するように構成され、さらに表面に溝を形成している中央チルトマウントと、
前記中央チルトマウントに結合されているとともに、前記装置に取着するように構成されているアダプタプレートと、
前記アダプタプレートに取着されており、前記中央チルトマウントに回転自在に取着されて、前記アダプタプレートを前記第２の軸線と直交している第３の軸線を中心に前記中央チルトマウント対して回動自在に回転させることができるように構成されている回転プレートと、
前記中央チルトマウントと前記回転プレートとの間に介在するように前記中央チルトマウントの溝に収容されるように構成されているワッシャと
を備えていることを特徴とするチルタ。